(57)【要約】【課題】簡単な構成で安定的に可動框のロックを行うことができ、しかも、大きな力を掛けることなく容易にロックの解除を行うことができるスクリーン装置を提供する。【解決手段】スクリーン枠１の横方向枠４，５のガイド部６ａ，７ａにガイドされ、開方向付勢力が付与された可動框１１によりスクリーン１０の開閉を行うスクリーン装置において、上下横方向枠のスクリーン張設時における可動框１１の保持位置に、可動框１１を係止させる切欠部２５を設け、この切欠部を設けた部位では、可動框をそのガイド走行姿勢から後端側を切欠部のあるガイド部側に振る傾斜姿勢に旋回可能とし、その傾斜姿勢において、上記切欠部２５に係止する係止縁部２６を可動框に設ける。切欠部２５と係止縁部２６との係止態様は、該切欠部から係止縁部を離脱させる方向への可動框の押圧により離脱可能なものとする。【選択図】図４
2008014006.tif 000002
【特許請求の範囲】
【請求項１】
スクリーン枠の上下横方向枠のガイド部にガイドさせたところの開方向付勢力が付与された可動框により、該スクリーン枠に張設するスクリーンの開閉を横引きで行うスクリーン装置において、
上記上下横方向枠におけるスクリーンの張設時に可動框を保持させる部位の上記ガイド部に、該可動框を係止させる切欠部を設け、
少なくとも上記切欠部を設けた部位では、上記可動框をそのガイド走行姿勢から鉛直軸周りにおいて一定範囲で旋回可能に形成すると共に、
上記可動框の上下部に、該可動框のガイド走行姿勢に対し、スクリーン張設操作時の後端側を上記切欠部が設けられているガイド部側に振る傾斜姿勢において、上記切欠部に係止する係止縁部を設け、
該切欠部と係止縁部との係止態様は、スクリーン面に対して垂直で該切欠部から係止縁部を離脱させる方向への可動框の押圧により離脱可能なものとした、
ことを特徴とするスクリーン装置。
【請求項２】
上記横方向枠が、スクリーン枠の縦枠と横枠とをコーナー部において連結する連結部材とそれに連結した上記横枠とにより構成され、上記切欠部が上記横枠または連結部材のガイド部に形成されている、
ことを特徴とする請求項１に記載のスクリーン装置。
【請求項３】
上記横方向枠がスクリーン側に開口する溝状に形成されていて、その開口の口縁に内向きに対向する一対の上記ガイド部を有し、可動框の両端部表裏面側に上記ガイド部に嵌合する一対のガイド溝を備え、上記係止縁部がこのガイド溝の溝底に形成されている、
ことを特徴とする請求項１または２に記載のスクリーン装置。
【請求項４】
スクリーンが巻取軸内に設けたスプリングの付勢力で該巻取軸に巻き取られるようにした巻取式であることを特徴とする請求項１〜３のいずれかに記載のスクリーン装置。
【発明の詳細な説明】
【技術分野】
【０００１】
本発明は、スクリーン枠にスクリーンを張設した状態で可動框を該スクリーン枠にロックする機構を簡単化したスクリーン装置に関するものである。
【背景技術】
【０００２】
従来から、防虫や遮光、目隠し、断熱等のためのスクリーン装置において、スクリーンを張設した状態で該スクリーンの可動框をスクリーン枠にロックする機構としては、可動框とスクリーン枠における受け枠との間にマグネットを用いたり、掛け鈎等を用いているが、それぞれに問題点もあり、一層の簡単化、操作性の改善が望まれている。
例えば、上記マグネットでロックする場合には、安定的なロックのためにマグネットの吸着力を大きくすると、ロック解除のためにマグネットを吸着状態から離脱させるのに比較的大きな力を必要とし、また、巻取軸内に設けたスプリングの付勢力でスクリーンを巻き取るようにした巻取式のスクリーン装置では、上記スプリングの巻取力の違いによりロック解除のためのマグネットの引離し荷重や、掛け鈎の離脱操作荷重が変化してしまい、マグネットでロックする場合でスプリングの巻取力が大きい場合などには、風の力などでそのロックが解除されることもある。
【発明の開示】
【発明が解決しようとする課題】
【０００３】
本発明の技術的課題は、簡単な構成で容易に安定的な可動框のロックを行うことができ、しかも、大きな力を掛けることなく容易にロックの解除を行うことができるスクリーン装置を提供することにある。
【課題を解決するための手段】
【０００４】
上記課題を解決するため、本発明は、スクリーン枠の上下横方向枠のガイド部にガイドさせたところの開方向付勢力が付与された可動框により、該スクリーン枠に張設するスクリーンの開閉を横引きで行うスクリーン装置において、上記上下横方向枠におけるスクリーンの張設時に可動框を保持させる部位の上記ガイド部に、該可動框を係止させる切欠部を設け、少なくとも上記切欠部を設けた部位では、上記可動框をそのガイド走行姿勢から鉛直軸周りにおいて一定範囲で旋回可能に形成すると共に、上記可動框の上下部に、該可動框のガイド走行姿勢に対し、スクリーン張設操作時の後端側を上記切欠部が設けられているガイド部側に振る傾斜姿勢において、上記切欠部に係止する係止縁部を設け、該切欠部と係止縁部との係止態様は、スクリーン面に対して垂直で該切欠部から係止縁部を離脱させる方向への可動框の押圧により離脱可能なものとしたことを特徴とするものである。
【０００５】
本発明に係るスクリーン装置の好ましい実施形態においては、上記横方向枠が、スクリーン枠の縦枠と横枠とをコーナー部において連結する連結部材とそれに連結した上記横枠とにより構成され、上記切欠部が上記横枠または連結部材のガイド部に形成される。
本発明に係るスクリーン装置の他の好ましい実施形態においては、上記横方向枠がスクリーン側に開口する溝状に形成されていて、その開口の口縁に内向きに対向する一対の上記ガイド部を有し、可動框の両端部表裏面側に上記ガイド部に嵌合する一対のガイド溝を備え、上記係止縁部がこのガイド溝の溝底に形成される。
上記構成を有するスクリーン装置は、スクリーンが巻取軸内に設けたスプリングの付勢力で該巻取軸に巻き取られるようにした巻取式であるのが望ましいが、それに限るものではない。
【発明の効果】
【０００６】
以上に詳述した本発明のスクリーン装置によれば、簡単な構成で容易に安定的な可動框のロックを行うことができ、しかも、大きな力を掛けることなく容易にロックの解除を行うことができるスクリーン装置を提供することができる。
【発明を実施するための最良の形態】
【０００７】
以下に、本発明の実施の形態の例を、図面に基づいて詳細に説明する。
図面は、本発明に係るスクリーン装置の実施例を示している。このスクリーン装置におけるスクリーン枠１は、図１に明瞭に示すように左右の縦枠２，３と上下の横方向枠４，５とを備えている。上記縦枠２，３は、その一方の縦枠２が内部にスクリーン１０を巻き取るための巻取軸１３を備えた巻取式スクリーン装置の巻取りボックスとして構成され、他方の縦枠３がスクリーン１０の張設時に可動框１１が当接する受け枠として構成されている。
【０００８】
上記巻取りボックス内の巻取機構は、巻取軸１３内に設けたスプリング１４の付勢力で、他端に可動框１１を取り付けたスクリーン１０を該巻取軸１３に巻き取るようにしたものであるが、本発明は、上記巻取機構を備えた巻取式のスクリーン装置に限るものではなく、開方向付勢力が付与された可動框により、該スクリーン枠１に張設するスクリーンの開閉を横引きで行う任意スクリーン装置に適用することができる。
【０００９】
上記横方向枠４，５の主要部を構成する横枠６，７は、図２に示すように、スクリーン１０側において開口する溝状の型材からなり、それらの開口の口縁に内向きに対向する各一対のガイド部６ａ及び７ａが形成されている。これらの横枠６，７は、巻取ボックスを構成する縦枠２に対しては、該巻取ボックスの端蓋２ａ，２ｂに連結しているが、受け枠を構成する縦枠３と横枠６，７との連結部分では、スクリーン１０の完全な張設時に可動框１１の一部が縦枠３内まで進入するので、縦枠３の上下端のコーナー部の各連結部材８，９に、可動框１１をガイドする横枠延長部８ａ，９ａを設け、該横枠延長部８ａ，９ａに横枠６，７を連結している。そして、上記横枠延長部８ａ，９ａにも、横枠６，７におけるガイド部６ａ，７ａに連なるガイド部６ｂ，７ｂを設け、結果的に、上記横方向枠４，５は、横枠６，７と連結部材８，９に設けた横枠延長部８ａ，９ａとにより構成している。
【００１０】
上記横枠６，７のガイド部６ａ，７ａ間の開口の両側は、可動框１１の両端に設けた各一対の転輪１６の転動面としている。上記ガイド部６ａ，７ａに連なる連結部材８，９のガイド部６ｂ，７ｂについても同様である。
また、上記可動框１１の両端部表裏面側には、図２及び図４に示すように、上記ガイド部６ａ，６ｂ，７ａ，７ｂが両側から嵌入する一対のガイド溝１７を備え、これらのガイド溝１７に対する上記ガイド部６ａ，６ｂ，７ａ，７ｂの嵌入により、上記可動框１１の上下端をガイドするように構成している。
【００１１】
上記スクリーン１０の側端（図１における上下端）を保持してガイドするため、図１及び図２に示すように、該スクリーン１０の両側端には、先端に多数の係止片１８ａを列設状態で取り付けた係合部材１８を設け、一方、横枠６，７内には、摺動性のよい合成樹脂からなり、該係合部材１８の係止片１８ａを係合させるスリット２０ａを設けた側端係止部材２０を、その両側に突出する凸板２０ｂが横枠６，７の内溝６ｄ，７ｄ内において移動可能な範囲内において遊動自在に嵌挿している。上記スクリーン１０の側端に取り付ける係合部材１８は、汎用のファスナーの半体またはそれと同様な構造を有する素材を利用することができる。
【００１２】
スクリーン枠１に対してスクリーン１０を張設した状態で可動框１１をその位置にロックできるようにするため、上下横方向枠４，５には、スクリーン１０が張設状態にあるときに可動框１１が位置する部位のガイド部、即ち、この実施例では、縦枠３の上下端の連結部材８，９に設けたガイド部６ｂ及び７ｂの対応位置に、可動框１１を係止させる切欠部２５を設けている。なお、下部の連結部材９における切欠部２５のみ図示しているが、状部の連結部材８における切欠部も同形状である。
【００１３】
上記切欠部２５は、可動框１１の上下部におけるガイド溝１７の溝底に形成した係止縁部２６を係止させるためのものであり、そのため、少なくとも上記ガイド部６ｂ及び７ｂにおける切欠部２５を設けた部位では、該切欠部２５自体の形状を考慮することにより、可動框１１を通常のガイド走行姿勢から、鉛直軸周りにおいて一定範囲で旋回可能に形成し、即ち、該可動框１１の上記ガイド走行姿勢から、スクリーン張設操作時の後端側を上記切欠部２５が設けられているガイド部側に振る傾斜姿勢をとれるように形成し、その傾斜姿勢で係止縁部２６を切欠部２５に係合可能に形成している。
上記切欠部２５と係止縁部２６との係止態様は、複雑な鈎状部材の係止ではなく、操作者が可動框１１の一部を押圧することにより、即ち、スクリーン面に対して垂直で上記切欠部２５から係止縁部２６を離脱させる方向へ可動框１１の押圧することにより離脱可能なものとして構成される。
【００１４】
図示した実施例では、上記切欠部２５を上下の片側のガイド部６ｂ，７ｂのみに設けているが、図３に鎖線で例示する切欠部２５ａのように、横方向枠４，５における開口の反対側のガイド部にも対称形状の切欠部を設け、可動框１１の上下部における一対のガイド溝１７の溝底の表裏側に形成した係止縁部２６のいずれかを上記切欠部２５，２５ａの一方に係止させることもできる。
【００１５】
なお、スクリーン枠１の縦枠３と横枠６，７とを連結する連結部材８，９内まで上記横枠６，７が挿入される場合には、上記切欠部２５は横枠６，７のガイド部６ａ，７ａに設けることになる。
また、連結部材８，９内まで上記横枠６，７が挿入されるが、該横枠６，７の端面を係止縁部２６が係止する切欠部２５とする場合には、上記切欠部２５は横枠６，７と連結部材８，９のガイド部６ｂ，７ｂの間に跨るように設けることになる。
【００１６】
上記構成を有するスクリーン装置においては、既知のスクリーン装置と同様に、可動框１１の操作でスクリーン１０を張設操作することができ、その場合に、図３中に鎖線で示す可動框１１の框本体１２の操作部１２ａを手で押圧してスクリーン１０を張設しようとすると、可動框１１はガイド走行姿勢をとりながらも、その押圧力に基づいて図の矢印Ｘ方向の回転モーメントが付与され、スクリーン１０を張設して可動框１１の係止縁部２６をガイド部６ｂ，７ｂの切欠部２５に係止させる段階では、可動框１１がその回転モーメントによって後端側の係止縁部２６を切欠部２５が設けられている手前のガイド部６ｂ，７ｂ側に振る傾斜姿勢をとるので、該係止縁部２６をほぼ自動的に切欠部２５に係止させ、可動框１１をスクリーン１０の張設位置でロックすることができる。
【００１７】
上記可動框１１のロック状態においては、可動框１１に対してスクリーン１０の巻取軸１３内のスプリング１４による開方向付勢力がスクリーンを介して作用していて、その付勢力に係止縁部２６を切欠部２５から離脱させる方向の分力が存在せず、図３からわかるように、むしろ、傾斜姿勢をとる可動框１１を一層傾斜させる方向の力が作用するので、係止縁部２６が簡単に切欠部２５から離脱するようなことはない。
また、この可動框１１のロック状態からそのロックを解除してスクリーン１０を巻き取る場合には、可動框１１を軽く押圧すればよく、それによって、可動框１１の上下端部の係止縁部２６がガイド部６ｂ，７ｂの切欠部２５から離脱するので、スクリーン１０に作用する巻取軸１３の巻取力により、スクリーン１０を収納状態に戻すことができる。
【００１８】
従って、可動框のロック機構として、可動框とスクリーン枠における受け枠との間にマグネットを用いたり、掛け鈎等を用いる従来のスクリーン装置に比して、構成が著しく簡単化され、ロックのための特別の部品を組み付けることなく、安定的に可動框のロックを行うことができ、しかも、マグネットを用いる場合のように、ロック解除のために比較的大きな力を必要とせず、容易に可動框のロックの解除を行うことができる。
【図面の簡単な説明】
【００１９】
【図１】本発明に係るスクリーン装置の実施例を示す一部破断正面図である。
【図２】同実施例のＡ−Ａ矢示側断面図である。
【図３】同実施例の一部破断平面図である。
【図４】上記実施例における縦枠（受け枠）の下端の連結部材及び可動框の下端の構成を示す斜視図である。
【符号の説明】
【００２０】
１      スクリーン枠
２，３    縦枠
４，５    横方向枠
６，７    横枠
６ａ，６ｂ，７ａ，７ｂ    ガイド部
８，９    連結部材
８ａ，９ａ    横枠延長部
１０      スクリーン
１１      可動框
１３      巻取軸
１４      スプリング
２５      切欠部
２６      係止縁部
【図１】
2008014006.tif 000003
【図２】
2008014006.tif 000004
【図３】
2008014006.tif 000005
【図４】
2008014006.tif 000006